(57)【要約】【課題】モノクロ印刷又はカラー印刷のいずれかを、ページ内の部分領域毎に選択指定することができる画像処理装置及び画像処理方法を提供する。【解決手段】本発明に係る画像処理装置は、入力された原稿画像の画像データに基づいて、カラー領域を部分的に含むプレビュー画像データを生成するプレビュー画像生成部と、プレビュー画像生成部により生成されたプレビュー画像データに基づいて、カラー出力領域を部分的に含む画像形成用画像データを生成する画像生成部とを備えることを特徴とする。【選択図】      図１
2016225701.tif 000002
【特許請求の範囲】
【請求項１】
入力された原稿画像の画像データに基づいて、カラー領域を部分的に含むプレビュー画像データを生成するプレビュー画像生成部と、
前記プレビュー画像生成部により生成されたプレビュー画像データに基づいて、カラー出力領域を部分的に含む画像形成用画像データを生成する画像生成部と
を備えることを特徴とする画像処理装置。
【請求項２】
前記プレビュー画像生成部は、前記画像データに基づいて、カラー領域の割りの異なる複数のプレビュー画像データを生成するものであり、
前記プレビュー画像生成部により生成された前記複数のプレビュー画像データに基づくプレビュー画像を表示する表示部と、
前記表示部に表示される複数のプレビュー画像の中から、プレビュー画像の出力指定を受け付ける出力指定受付部と
を備え、
前記画像生成部が、前記出力指定受付部により出力指定された対応するプレビュー画像データに基づいて、カラー出力領域を部分的に含む画像形成用画像データを生成する
ことを特徴とする請求項１に記載の画像処理装置。
【請求項３】
前記プレビュー画像生成部は、前記画像データの各画素の彩度の成分値の大小比較結果に基づいて前記各画素がカラー画素であるか否かを判定し、各カラー画素を含む周辺画素領域を１又は複数のカラー領域として前記プレビュー画像データを生成するものであることを特徴とする請求項２に記載の画像処理装置。
【請求項４】
前記プレビュー画像生成部は、１又は複数のカラー領域の組み合わせに応じて、前記複数のプレビュー画像データを生成することを特徴とする請求項３に記載の画像処理装置。
【請求項５】
前記プレビュー画像生成部により生成されたプレビュー画像データに基づくプレビュー画像を表示する表示部と、
前記プレビュー画像を表示する前記表示部においてカラー領域の指定を受け付ける出力指定受付部と
を備え、
前記プレビュー画像生成部が、前記出力指定受付部により指定された領域をカラー領域として含むプレビュー画像を生成する
ことを特徴とする請求項１に記載の画像処理装置。
【請求項６】
前記画像生成部により生成された画像形成用画像データに基づく画像を、記録媒体上に形成する画像形成部を備えることを特徴とする請求項１〜５のいずれかに記載の画像処理装置。
【請求項７】
プレビュー画像生成部が、入力された原稿画像の画像データに基づいて、カラー領域を部分的に含むプレビュー画像データを生成し、
画像生成部が、前記プレビュー画像生成部により生成されたプレビュー画像データに基づいて、カラー出力領域を部分的に含む画像形成用画像データを生成する
ことを特徴とする画像処理方法。
【発明の詳細な説明】
【技術分野】
【０００１】
本発明は、画像処理装置及び画像処理方法に関し、例えば、画像読取装置により読み取られた画像を処理する画像処理装置に適用し得るものである。
【背景技術】
【０００２】
特許文献１には、読み取られた画像のプレビュー画像に基づいて、ページ単位で印刷データがモノクロデータであるか又はカラーデータであるかを判断し、ユーザによる変更指示に従って、前記印刷データを、モノクロデータからカラーデータへの変更、あるいは、カラーデータからモノクロデータへの変更をページ毎に行うものである。
【先行技術文献】
【特許文献】
【０００３】
【特許文献１】特開２００９−７０３０２号公報
【発明の概要】
【発明が解決しようとする課題】
【０００４】
上述した従来技術は、ページ単位でモノクロ印刷を行うか又はカラー印刷を行うものである。しかしながら、１ページのドキュメント内にモノクロ画像とカラー画像とが混在する場合、１ページ全体をモノクロ印刷とするか又はカラー印刷とするかの選択は可能であるが、１ページ内の部分領域をカラー印刷又はモノクロ印刷とするかを選択できないという課題がある。
【０００５】
そのため、モノクロ印刷又はカラー印刷のいずれかを、ページ内の部分領域毎に選択指定することができる画像処理装置及び画像処理方法が強く求められている。
【課題を解決するための手段】
【０００６】
かかる課題を解決するために、第１の本発明に係る画像処理装置は、（１）入力された原稿画像の画像データに基づいて、カラー領域を部分的に含むプレビュー画像データを生成するプレビュー画像生成部と、（２）プレビュー画像生成部により生成されたプレビュー画像データに基づいて、カラー出力領域を部分的に含む画像形成用画像データを生成する画像生成部とを備えることを特徴とする。
【０００７】
第２の本発明に係る画像処理方法は、（１）プレビュー画像生成部が、入力された原稿画像の画像データに基づいて、カラー領域を部分的に含むプレビュー画像データを生成し、（２）画像生成部が、プレビュー画像生成部により生成されたプレビュー画像データに基づいて、カラー出力領域を部分的に含む画像形成用画像データを生成することを特徴とする。
【発明の効果】
【０００８】
本発明によれば、ユーザの細かい要望に応えるため、モノクロ印刷又はカラー印刷のいずれかを、ページ内の部分領域毎に選択指定することができる。
【図面の簡単な説明】
【０００９】
【図１】実施形態に係る複合機に搭載される画像処理装置の機能的な構成を示すブロック図である。
【図２】実施形態に係る画像処理装置における画像処理方法の動作を示すフローチャートである。
【図３】実施形態に係るプレビュー画像生成部におけるプレビュー画像の生成処理の動作を示すフローチャートである。
【図４】実施形態に係るプレビュー画像生成部により生成されるプレビュー画像を説明する説明図である。
【図５】実施形態に係る表示部に表示されるプレビュー画像の画面例を説明する説明図である。
【図６】実施形態に係る画像生成部による画像生成処理を示すフローチャートである。
【発明を実施するための形態】
【００１０】
（Ａ）主たる実施形態
以下では、本発明に係る画像処理装置及び画像処理方法の実施形態を、図面を参照しながら詳細に説明する。
【００１１】
この実施形態は、本発明を利用して、画像読取装置を備える複合機（ＭＦＰ：Ｍｕｌｔｉｆｕｎｃｔｉｏｎ  Ｐｅｒｉｐｈｅｒａｌ）に適用する場合の実施形態を例示する。
【００１２】
（Ａ−１）実施形態の構成
図１は、実施形態に係る複合機に搭載される画像処理装置の機能的な構成を示すブロック図である。図１において、実施形態に係る画像処理装置１００は、画像読取部１０１、プレビュー画像生成部１０２、表示部１０３、出力指定受付部１０４、画像生成部１０５、画像形成部１０６を有する。
【００１３】
画像処理装置１００は、例えば、画像読取機能及び画像形成機能を有する複合機に搭載されるものである。画像処理装置１００は、読み取られたドキュメントの画像データをプレビュー画像に変換し、そのプレビュー画像を表示する。このとき、画像処理装置１００は、１ページ分の画像データに対して、それぞれ画像変換形式の異なる複数のプレビュー画像を生成し、いずれかのプレビュー画像を選択可能にして表示する。そして、画像処理装置１００は、ユーザ操作により指定されたプレビュー画像に基づいて印刷データを生成して画像形成を行う。
【００１４】
画像読取部１０１は、ドキュメントの画像をスキャンして読み取った画像データをプレビュー画像生成部１０２に与えるものである。例えば、画像読取部１０１は、ガラス台に載置された原稿を、ガラス台の下方から光を照射して原稿画像を読み取るフラットベッドスキャナ等の既存の画像読取装置を適用できる。
【００１５】
プレビュー画像生成部１０２は、プレビュー画像を表示するために、画像読取部１０１からの画像データに基づいてプレビュー画像を生成し、その生成したプレビュー画像を表示部１０３に与えるものである。プレビュー画像生成部１０２のハードウェア構成は、例えば、ＣＰＵ、ＲＯＭ、ＲＡＭ、ＥＥＰＲＯＭ、入出力インタフェース等を有するものであり、ＣＰＵがＲＯＭに格納される処理プログラムを実行することにより、プレビュー画像生成部１０２の各種機能を実現する。
【００１６】
ここで、プレビュー画像生成部１０２は、画像読取部１０１により読み取られた１ページ分の原稿に対して、カラー画素の割合を変えた複数のプレビュー画像データを生成する。より具体的には、プレビュー画像生成部１０２は、１ページ分の原稿画像データに対して、各画素がカラー画素であるか又はモノクロ画素であるかを判定する。画素がカラー画素であると判定すると、その画素の周辺画素を含む周辺領域をカラー画素領域として抽出する。１ページ内にモノクロ画素領域と１又は複数のカラー画素領域とを含む場合、プレビュー画像生成部１０２は、１又は複数のカラー画素領域のそれぞれをモノクロ領域又はカラー領域とするプレビュー画像を、カラー画素領域の組み合わせの数に応じた分のものを生成する。
【００１７】
すなわち、１ページ分の画像データの部分領域にカラー画素領域が含まれる場合、プレビュー画像生成部１０２は、その画像データを全てモノクロとしたプレビュー画像と、カラー画素領域のみをカラーとしたプレビュー画像と、全てをカラーとしたプレビュー画像とを生成する。また、複数のカラー画素領域が含まれる場合、それぞれのカラー画素領域をモノクロ又はカラーのいずれかとした組み合わせ数の複数のプレビュー画像と、画像データを全てモノクロとしたプレビュー画像と、全てをカラーとしたプレビュー画像とを生成する。
【００１８】
表示部１０３は、プレビュー画像生成部１０２により生成された複数のプレビュー画像データのそれぞれを識別するための画像番号を対応付けて、複数のプレビュー画像を１枚ずつ表示するものである。なお、表示部１０３は、サムネイル等のように、１枚の原稿に関する複数のプレビュー画像を同時に表示するようにしても良い。表示部１０３は、例えば、操作パネルのディスプレイ等を適用できる。
【００１９】
出力指定受付部１０４は、ユーザ操作により、表示部１０３に表示されたプレビュー画像の中から、画像形成に係る画像の指定を受け付けるものである。出力指定受付部１０４は、表示部１０３に表示されるプレビュー画像から、最終的に出力とする画像の画像番号の指定を受け、その指定された画像番号を表示部１０３に与える。これにより、表示部１０３は、指定された画像番号のプレビュー画像データを画像生成部１０５に与える。出力指定受付部１０４は、例えば、操作パネルを適用することができ、操作パネルの表示画面上で入力を受け付けるようにしたり、又は、ハードキー（物理的なボタン）で入力を受け付けたりする。
【００２０】
画像生成部１０５は、表示部１０３から画像番号とプレビュー画像と画像読取部１０１により読み取られた画像データとを取得し、画像番号及びプレビュー画像に基づいて、読み取られた画像データの出力形式の変換処理を行う。また、画像生成部１０５は、変換後の画像データを画像形成部１０６に与える。
【００２１】
出力形式の変換処理は、例えば、画像読取部１０１により読み取られたＲＧＢ形式の画像データをＣＭＹＫ形式の画像データに変換する処理がある。また、出力形式の変換処理を行う際、画像生成部１０５は、指定された画像番号及びプレビュー画像に基づいて、画像内の画素領域がモノクロ画素領域か又はカラー画素領域かを判断し、カラー画素領域に属する各画素の画素値をカラー画素値に置換し、モノクロ画素領域に属する各画素の画素値をモノクロ画素値に置換する。
【００２２】
画像形成部１０６は、画像生成部１０５からの画像データに基づく印刷データを用いて画像を記録媒体（例えば、用紙等）に形成する。画像形成部１０６は、例えば、Ｋ（黒色）、Ｍ（マゼンダ）、Ｃ（シアン）、Ｙ（イエロー）の現像剤を用いて電子写真方式でカラー印刷を行う画像形成装置を適用できる。
【００２３】
（Ａ−２）実施形態の動作
次に、実施形態に係る画像処理装置１００による画像処理方法の動作を、図面を参照しながら詳細に説明する。
【００２４】
図２は、実施形態に係る画像処理装置１００における画像処理方法の動作を示すフローチャートである。
【００２５】
（ステップＳ１００）
画像読取部１０１のガラス台の上に原稿が載置され、画像読取部１０１は、原稿の画像を読み取り、ＲＧＢ形式の画像データを生成する。画像読取部１０１により読み取られたＲＧＢ形式の画像データは、プレビュー画像生成部１０２に与えられる。
【００２６】
（ステップＳ２００）
プレビュー画像生成部１０２では、画像読取部１０１から取得したＲＧＢ形式の画像データに基づいてプレビュー画像を生成する。ここで、プレビュー画像生成部１０２は、１ページ分の原稿の画像データに対して、複数のプレビュー画像を生成する。つまり、１ページ分の原稿において１又は複数のカラーの部分領域がある場合に、それらの各カラー領域をモノクロ又はカラーで表したプレビュー画像を生成する。
【００２７】
図３は、実施形態に係るプレビュー画像生成部１０２におけるプレビュー画像の生成処理の動作を示すフローチャートである。
【００２８】
プレビュー画像生成部１０２は、ＲＧＢ形式の画像データの各画素の画素値に基づいて、各画素がカラー画素であるか又はモノクロ画素であるかの判定を行う。すなわち、判定する画素をＮとすると、プレビュー画像生成部１０２は、Ｎ＝１に初期化する（ステップＳ２０１）。そして、プレビュー画像生成部１０２は、Ｎ画素目の画素値（ＲＧＢ値）を用いて、｜Ｒ−Ｇ｜、｜Ｇ−Ｂ｜、｜Ｂ−Ｒ｜がすべて閾値未満であるか否かを判定する（ステップＳ２０２）。ここで、｜Ｒ−Ｇ｜、｜Ｇ−Ｂ｜、｜Ｂ−Ｒ｜の各値を判定する閾値は、同じ値とする場合を例示する。
【００２９】
｜Ｒ−Ｇ｜、｜Ｇ−Ｂ｜、｜Ｂ−Ｒ｜の各値が閾値未満である場合、プレビュー画像生成部１０２は、当該Ｎ画素がモノクロ画素と判定し、モノクロ画素であることを設定する（ステップＳ２０３）。また、｜Ｒ−Ｇ｜、｜Ｇ−Ｂ｜、｜Ｂ−Ｒ｜の各値が閾値以上である場合、プレビュー画像生成部１０２は、当該Ｎ画素がカラー画素と判定し、カラー画素であることを設定する（ステップＳ２０４）。
【００３０】
プレビュー画像生成部１０２は、ページ内の全ての画素に対してカラー画素であるか又はカラー画素であるかの判定をするため、全ての画素について終了していないときには（ステップＳ２０５）、判定する画素Ｎの値に「１」をインクリメントしてＮ＝Ｎ＋１とする（ステップＳ２０６）。一方、全ての画素についての判定が終了したときには（ステップＳ２０５）、処理はステップＳ２０７に移行する。
【００３１】
ステップＳ２０７では、プレビュー画像生成部１０２が、画素がカラー画素の拡散処理を行う。ここで、カラー画素の拡散処理は、カラー画素領域の候補を得るために、カラー画素と判断された画素を含む周辺の画素領域をカラー画素領域とする処理である。
【００３２】
カラー画素の拡散処理は、カラー画素の周辺画素領域をカラー画素領域とする方法であれば種々の方法を広く適用することができる。例えば、カラー画素の周辺ｎ×ｍ画素の領域をカラー画素領域とする方法ができる。この場合、例えば、カラー画素を中心点としてｎ×ｍ画素領域をカラー画素領域の候補としたり、また例えば、カラー画素をＸ−Ｙ座標軸の原点として第１象限、第２象限、第３象限、第４象限のｎ×ｍ画素領域をカラー画素領域の候補としたりする方法を適用する。なお、ｎ及びｍは、自然数とすることができ、例えばｎ×ｍ画素領域は５×５や７×７など正方形型の画素領域とすることができる。このとき、カラー画素を含むカラー画素領域において、モノクロ画素と判断された画素が含まれている場合でも、プレビュー画像生成部１０２は、そのカラー画素領域内のモノクロ画素をカラー画素に変更する。
【００３３】
プレビュー画像生成部１０２は、ページ内の全ての画素のうちカラー画素と判断された全ての画素についてカラー画素の拡散処理を行う。さらに、プレビュー画像生成部１０２は、それぞれのカラー画素領域の候補に属している画素の連結数を算出する。そして、プレビュー画像生成部１０２は、画素の連結数の大きいものから、Ｌ個のカラー画素領域を抽出する（ステップＳ２０８）。カラー画素領域を抽出するＬ個は、任意に設定することができる。
【００３４】
なお、カラー画素領域の候補の中から画素領域が比較的小さいカラー画素領域を除去できるのであれば、上記のように画素の連結数の大きいカラー画素領域の候補から所定数Ｌのカラー画素領域を選択するようにしても良いし、また例えば、カラー画素領域の候補に属する画素の連結数が閾値未満のものを除去するようにしても良い。
【００３５】
さらに、プレビュー画像生成部１０２は、カラー画素領域の候補に属する画素の連結数が閾値未満のものを除去し、かつ、カラー画素領域の候補の中から画素の連結数の大きいものからＬ個のカラー画素領域を抽出するようにしても良い。
【００３６】
プレビュー画像生成部１０２は、抽出したＬこのカラー画素領域のうち、Ｋ番目のパターンを示すＫの値を初期化してＫ＝１とする（ステップＳ２０９）。そして、Ｋパターン目のカラー画素領域をカラー画像として生成する（ステップＳ２１０）。プレビュー画像生成部１０２は、全パターンのカラー画素領域についてカラー画像を生成していない場合には（ステップＳ２１１）、Ｋの値をインクリメントして、Ｋ＝Ｋ＋１とする（ステップＳ２１２）。一方、全パターンのカラー画素領域についてカラー画像を生成した場合、処理を終了する。
【００３７】
図４は、実施形態に係るプレビュー画像生成部１０２により生成されるプレビュー画像を説明する説明図である。図４では、Ｌが２個の場合を例示している。すなわち、プレビュー画像生成部１０２は、１ページ分の画像データから２個のカラー画素領域を含むプレビュー画像を生成する場合を例示している。また、図４では、太字点線で囲んだ部分（領域）が、カラーで表示する部分（領域）である。
【００３８】
図４において、プレビュー画像生成部１０２が生成するプレビュー画像は、以下のように、５パターンのプレビュー画像を生成する。つまり、プレビュー画像生成部１０２は、モノクロ画素領域とカラー画素領域とが混在する１ページの画像データに基づいて、全ての画素をモノクロ画素とするプレビュー画像（第１パターン；図４（Ａ）参照）と、２個のカラー画素領域のいずれかのみをカラー画素とし、それ以外の画素をモノクロ画素とするプレビュー画像（第２パターン、第３パターン；図４（Ｂ）及び図４（Ｃ）参照）、２個のカラー画素領域の両方のみをカラー画素とし、それ以外の画素をモノクロ画素とするプレビュー画像（第４パターン；図４（Ｄ）参照）、全ての画素をカラー画素とするプレビュー画像（第５パターン；図４（Ｅ）参照）を生成する。
【００３９】
このように、モノクロ画像とカラー画像とが混在する場合に、プレビュー画像生成部１０２は、１ページ分の画像データに対して、カラー画素領域の数に応じて複数の組み合わせのプレビュー画像を生成する。
【００４０】
ここで、プレビュー画像生成部１０２が、部分的にモノクロ画素を生成する方法を説明する。画像読取部１０１は、ＲＧＢ形式で原稿画像を読み取る。そのため、プレビュー画像生成部１０２は、ＲＧＢ形式の画像データを、例えばＹＣｂＣｒやＣＩＥＬａｂなど、輝度や明度と彩度で構成される色空間に変換を行う。より具体的には、プレビュー画像生成部は、モノクロ画素とする領域のみ彩度成分を「０」、つまり無彩色に変換を行う。これにより、カラー画素領域は有彩色のカラー画素、モノクロ画素領域は無彩色のモノクロ画素に変換することができる。
【００４１】
また、図４に示すように、プレビュー画像生成部１０２は、全ての画素をモノクロ画素とした第１パターンのプレビュー画像（図４（Ａ））を生成した後に、カラー画素領域が大きいもの（すなわち、カラー画素領域に属する画素の連結数が多いもの）から順に、プレビュー画像を生成する。例えば、図４（Ｂ）及び図４（Ｃ）に示すように、２個のカラー画素領域のうち、比較的画素領域の大きいカラー画素領域Ｃ１を優先して、当該カラー画素領域Ｃ１に属する画素をカラー画素としたプレビュー画像を生成する（図４（Ｂ）参照）。次に、カラー画素領域Ｃ２に属する画素をカラー画素としたプレビュー画像を生成する（図４（Ｃ）参照）。
【００４２】
なお、複数のカラー画素領域のうち、いずれのカラー画素領域の画素をカラー画素に置き換えるかの順番は、上記に限定されるものではない。また、例えば、全てモノクロ画素とする第１パターンを生成した後に、全てカラー画素とする第５パターンを生成する等のように、プレビュー画像の生成の順番についても特に限定されるものではない。
【００４３】
上記のようにして、プレビュー画像生成部１０２が、１ページ分の画像データに対して複数のプレビュー画像を生成すると、図２のステップＳ３００の処理に移行する。
【００４４】
（ステップＳ３００）
プレビュー画像生成部１０２により生成された各プレビュー画像は表示部１０３に与えられ、表示部１０３はプレビュー画像を表示する。
【００４５】
図５は、実施形態に係る表示部１０３に表示されるプレビュー画像の画面例を説明する説明図である。
【００４６】
図５において、表示部１０３は、図５（Ａ）→図５（Ｂ）→図５（Ｃ）→図５（Ｄ）→図５（Ｅ）→図５（Ａ）→・・・の順にプレビュー画像を表示する場合を例示する。また、表示部１０３は、複数のプレビュー画像を巡回して表示する。
【００４７】
このように、複数のプレビュー画像は、１枚ずつ、順番に、操作パネルの表示部１０３に表示される。このとき、各プレビュー画像の画面２００は、１枚のプレビュー画像２０１と、表示しているプレビュー画像は全体の何枚目の画像を示す画像番号２０２と、表示するプレビュー画像を変更するための左右の矢印ボタン２０３と、ＯＫボタン２０４と、キャンセルボタン２０５とが表示されている。左右の矢印ボタンを押下することで、表示されるプレビュー画像を順に変更することが可能である。
【００４８】
（ステップＳ４００）
出力指定受付部１０４は、ステップＳ３００で表示部１０３に表示されたプレビュー画像の中から、ユーザ操作により最終的な出力を希望するプレビュー画像の指定を受け付ける。
【００４９】
例えば、図５において、ユーザが最終的に出力を希望するプレビュー画像の画面上で、ユーザ操作によりＯＫボタン２０４の押下を受け付ける。また、出力指定受付部１０４は、別のプレビュー画像を表示させる場合は左右の矢印ボタン２０３の押下を受け付け、最終的にＯＫボタン２０４を押下された時点で、表示部１０３に表示しているプレビュー画像が最終出力となる。また、出力指定受付部１０４は、キャンセルボタン２０５を押下させることにより、出力のキャンセルを受け付ける。ユーザから指定を受け付けることにより、最終出力となる画像番号が求められる。
【００５０】
（ステップＳ５００）
画像生成部１０５は、ステップＳ４００で指定された画像番号と、ステップＳ２００で得られたブレビュー用画像と、ステップＳ１００で得られたＲＧＢ形式の画像データからモノクロとカラーとが混在した画像を生成する。
【００５１】
図６は、実施形態に係る画像生成部１０５による画像生成処理を示すフローチャートである。
【００５２】
まず、画像生成部１０５は、ステップＳ１００で得られたＲＧＢ形式の画像データにカラー用処理を施し、例えばＣＭＹＫの４ｃｈ形式の画像データを得る（ステップＳ５０１）。
【００５３】
次に、画像生成部１０５は、ステップＳ１００で得られたＲＧＢ形式の画像データにモノクロ用処理を施し、例えばＣＭＹＫのうち、Ｋ成分のみの１ｃｈ形式の画像データを得る（ステップＳ５０２）。
【００５４】
画像生成部１０５は、ＣＭＹＫの４ｃｈ画像データと、Ｋ成分のみの１ｃｈ画像データとから最終出力となる画像データを生成する。
【００５５】
具体的には、画像生成部１０５は、画像データのＮ画素のＮの値を初期化した後（ステップＳ５０３）、最終出力となる画像番号に基づいて、カラーで出力する画素とモノクロで出力する画素とを判別できるため、Ｎ画素目がカラー出力画素であるか又はモノクロ出力画素であるかを判定する（ステップＳ５０４）。
【００５６】
Ｎ画素目がカラー出力画素として設定されている場合、処理はステップＳ５０５に移行する。ステップＳ５０５において、画像生成部１０５は、ステップＳ５０１で得たＣＭＹＫの４ｃｈの画像データにおいて、当該Ｎ画素目と対応する位置の画素値を読み出し、そのＣＭＹＫの４ｃｈの画像データのＮ画素目の画素値を、当該画像データのＮ画素目の画素値に置換する（ステップＳ５０５）。
【００５７】
一方、Ｎ画素目がモノクロ出力画素と指定設定されている場合、処理はステップＳ５０６に移行する。ステップＳ５０５において、画像生成部１０５は、ステップＳ５０２で得たＫ成分のみの画像データにおいて、当該Ｎ画素目と対応する位置の画素値を読み出し、そのＫ成分のみの画像データのＮ画素目の画素値を、当該画像データのＮ画素目の画素値に置換する（ステップＳ５０６）。
【００５８】
画像生成部１０５は、全ての画素の画素値の置換が終了していない場合には（ステップＳ５０７）、Ｎの値にインクリメントしてＮ＝Ｎ＋１とし（Ｓ５０８）、ステップＳ５０４に戻り、処理を繰り返す。また、全ての画素の画素値の置換が終了すると、処理は終了する。
【００５９】
（ステップＳ６００）
画像形成部１０６は、ステップＳ５００で得られてカラーとモノクロとが混在する画像データに基づいて、例えばＣＭＹＫの現像剤を使用して、記録媒体上に画像を形成する。
【００６０】
（Ａ−３）実施形態に係る効果
以上のように、この実施形態によれば、１ページ分の原稿がカラーとモノクロとが混在する場合に、をカラーとモノクロとが混在する画像データで画像形成を行うことで、１ページ内の部分領域のみをカラー印刷とすることができる。そのため、１ページ分の画像を全てカラー印刷するよりも、カラー現像剤の使用量を調整できるため、画像形成に係るコストが安くなる。
【００６１】
また、モノクロ印刷のみの画像データで画像形成を行うときよりも、色彩豊かな高品質の画像を形成することができる。そのため、ユーザにとっては見やすい印字結果を得ることができる。ユーザはカラーとしたい領域とモノクロとしたい領域を細かく指定することができるため、見やすく、かつ、コストを抑えた出力結果を得ることができる。
【００６２】
（Ｂ）他の実施形態
上述した実施形態においても種々の変形実施形態を言及したが、本発明は以下の変形実施形態にも適用することができる。
【００６３】
（Ｂ−１）上述した実施形態において、プレビュー画像生成部１０２がプレビュー画像を生成する際、複数のプレビュー画像を生成する場合を例示した。しかし、例えば、プレビュー画像生成部１０２が、全てのモノクロ画素としたプレビュー画像を生成して表示部１０３（操作パネルの表示部）に表示した後、操作パネル等の出力指定受付部１０４で、カラー領域とする領域の指定をユーザにより受け付け、その指定された領域をカラー領域とするようにしても良い。
【００６４】
（Ｂ−２）上述した実施形態では、本発明に係る画像処理装置を有する複合機に適用する場合を例示した。しかし、本発明に係る画像処理装置は、複合機以外の装置に適用するものであっても良い。
【００６５】
例えば、スキャナ等の画像読取装置及びカラープリンタ等の印刷装置と、有線回線又は無線回線を介して接続可能な端末（例えば、パーソナルコンピュータ、スマートフォンや携帯電話機等の携帯端末、タブレット型コンピュータ、ゲーム端末など）に搭載されるプリンタドライバに適用できる。その場合、端末は、図１の表示部１０３及び出力指定受付部１０４を有するものであり、プリンタドライバは、図１のプレビュー画像生成部１０２及び画像生成部１０５の機能を有するソフトウェアとすることができる。
【符号の説明】
【００６６】
１００…画像処理装置、１０１…画像読取部、１０２…プレビュー画像生成部、１０３…表示部、１０４…出力指定受付部、１０５…画像生成部、１０６…画像形成部。
【図１】
2016225701.tif 000003
【図２】
2016225701.tif 000004
【図３】
2016225701.tif 000005
【図４】
2016225701.tif 000006
【図５】
2016225701.tif 000007
【図６】
2016225701.tif 000008